(57)【要約】【課題】  運動靴の購入時には、使用者の足長に合ったサイズの運動靴を選択するための補助となり得、運動靴の購入後には、使用者の足長が運動靴のサイズに合わなくなったかどうかを確認するための補助となり得るインソール及びこれを備えた運動靴を提供する。【解決手段】  運動靴の内側に配置されるインソール２００であって、インソール２００のつま先側に、使用者のつま先の位置が適正範囲にあること示す所定幅のマーカー２００Ａ，２００Ｂが設けられていることを特徴とする。【選択図】図３
0003227048.tif 000002
【実用新案登録請求の範囲】
【請求項１】
運動靴の内側に配置されるインソールにおいて、
前記インソールのつま先側に、使用者のつま先の位置が適正範囲にあること示す所定幅のマーカーが設けられていることを特徴とするインソール。
【請求項２】
請求項１に記載のインソールにおいて、
前記マーカーは、適正範囲とそれ以外の範囲とが所定幅を有して色分けされていることを特徴とするインソール。
【請求項３】
請求項１又は２に記載のインソールにおいて、
前記インソールは、取り外し可能とされていることを特徴とするインソール。
【請求項４】
請求項１から３のいずれか１項に記載のインソールにおいて、
前記インソールの少なくとも踵部分の側縁部が使用者の足に沿うように折り曲げられて形成され、使用者の足の位置の位置合わせを行うことができるようにされたことを特徴とするインソール。
【請求項５】
請求項１から４のいずれか１項に記載のインソールを備えることを特徴とする運動靴。
【考案の詳細な説明】
【技術分野】
【０００１】
本考案は、運動靴の内側に配置されるインソール及びこれを備えた運動靴に関し、さらに詳しくは、使用者が自分の足の長さに合った運動靴を選択するための補助となり得るインソール及びこれを備えた運動靴に関する。
【背景技術】
【０００２】
靴や運動靴（スニーカとも言う）等は、一般に、甲の部分に靴紐や面ファスナーを取り付け、この靴紐や面ファスナーによって甲の部分を締め付けて靴を足にフィットさせるようになっている。靴が足にぴったりとフィットしていないと、靴擦れはもちろん、足の指の爪を傷めたり、外反母趾等の深刻な障害を発生させる等の様々なトラブルを生じさせる。特に、成長期の児童や生徒が履く上履きや運動靴の場合には、足に合った靴を選ぶことは極めて重要である。ある調査によれば、中学生の５７％、高校生の７４％が、何らかの靴による足のトラブルを経験していることが報告されている。
従来、足にフィットする靴としては、舌片（タン）に沿ってバンプの開き部に袋体を設け、この袋体に泡樹脂材を注入し、舌片の内側と足の甲の上面との間が袋体で埋まるようにした運動靴（例えば、特許文献１参照）が知られている。
【０００３】
また、舌片の部分を左右から締め付けられるように１又は複数の面ファスナーをアッパー部の左右に対を成すように設け、その固定側の面ファスナーの一端が舌片を越えるように延伸させることにより、足の甲周りの調整を可能にした甲バンド付き靴も知られている（例えば、特許文献２等を参照）。
【先行技術文献】
【特許文献】
【０００４】
【特許文献１】特開平１１−７５９０８号公報
【特許文献２】実用新案登録第３０４９２１２号公報
【考案の概要】
【考案が解決しようとする課題】
【０００５】
一般的に、シューズメーカーは、様々な足長の使用者を想定して段階的に標準化された靴を用意しているので、その中から使用者は自分の足の長さに合った靴を選択することができるようになっている。自分の足長に合った靴とは、例えば、踵の位置をヒールに合わせて履いた状態において靴先に適当な余裕があり、（ｉ）運動時につま先が靴の先端にあたらず、（ｉｉ）靴先部分に足指が十分に動かすことができ、（ｉｉｉ）足指が曲がる位置できちんと屈曲する、という条件を満たすような靴のことである。
【０００６】
しかしながら、実際には必ずしも足長に合うサイズの靴を履いていないことが判明した。その理由としては、例えば、児童や生徒の場合は、運動靴のサイズを選択する際、上記の条件を満たすかどうかを自分で判断することは難しいことが挙げられる。また、仮に、当初のサイズが適正であったとしても、成長過程にある児童や生徒の足長は徐々に大きくなるので、いつの間にか靴の足長サイズが合わなくなっているにも関わらず、そのことに気づかずに同じ運動靴を履き続けてしまいがちである。
【０００７】
従って、本考案の目的は、運動靴の購入時には、使用者の足長に合ったサイズの運動靴を選択するための補助となり得、運動靴の購入後には、使用者の足長が運動靴のサイズに合わなくなったかどうかを確認するための補助となり得るインソール及びこれを備えた運動靴を提供することにある。
【課題を解決するための手段】
【０００８】
上記目的を達成するため、請求項１に記載の本考案は、運動靴の内側に配置されるインソールにおいて、前記インソールのつま先側に、使用者のつま先の位置が適正範囲にあること示す所定幅のマーカーが設けられていることを特徴とするインソールを提供する。
【０００９】
上記目的を達成するため、請求項１に記載のインソールにおいて、前記マーカーは、適正範囲とそれ以外の範囲とが所定幅を有して色分けされていることを特徴とする。
【００１０】
上記目的を達成するため、請求項３に記載の本考案は、請求項１又は２に記載のインソールにおいて、前記インソールは、取り外し可能とされていることを特徴とする。
【００１１】
上記目的を達成するため、請求項４に記載の本考案は、請求項１から３のいずれか１項に記載のインソールにおいて、前記インソールの少なくとも踵部分の側縁部が使用者の足に沿うように折り曲げられて形成され、使用者の足の位置の位置合わせを行うことができるようにされたことを特徴とする。
【００１２】
上記目的を達成するため、請求項５に記載の本考案は、請求項１から４のいずれか１項に記載のインソールを備えることを特徴とする運動靴を提供する。
【考案の効果】
【００１３】
本考案に係るインソールによれば、使用者のつま先の位置が適正範囲にあること示す所定幅のマーカーが設けられているので、運動靴から取り出したインソールの上に使用者が足を乗せて立ち、そのつま先の位置がマーカーの範囲内にある場合は「運動靴の足長サイズが使用者の足長に合っている」と判断することができ、つま先の位置がマーカーの範囲外にある場合は「運動靴の足長サイズが使用者の足長に合っていない」と判断することができる。
【００１４】
したがって、本考案に係るインソール及びこれを備えた運動靴によれば、運動靴の購入時には、使用者の足長に合ったサイズの運動靴を選択するための補助となり得、運動靴の購入後には、使用者の足長が運動靴のサイズに合わなくなったかどうかを確認するための補助となり得るという効果がある。
【図面の簡単な説明】
【００１５】
【図１】本考案に係る運動靴の一実施形態の平面図である。
【図２】図１の運動靴の斜視図である。
【図３】運動靴の内側に配置されるインソールの平面図である。
【図４】図３のインソールの斜視図である。
【図５】サイズ確認の方法を示す説明図である（使用者の足長が運動靴の足長サイズに合っている場合）。
【図６】サイズ確認の方法を示す説明図である（使用者の足長が運動靴の足長サイズを超えている場合）。
【図７】サイズ確認の方法を示す説明図である（使用者の足長が運動靴の足長サイズに満たない場合）。
【考案を実施するための形態】
【００１６】
［運動靴の構成］
図１は、本考案に係る運動靴の一実施形態の平面図、図２は図１の運動靴の斜視図である。図示された運動靴１００は概略として、アッパー（UPPER）１が、接着剤等によって靴底２に接着されて形成された構造となっている。なお、靴の形状は左足用と右足用とで左右対象であり、それ以外に大きな違いはないので、図１及び図２においては左足用を図示し、右足用の図示を省略している。
【００１７】
靴底２は、使用素材及び厚みを吟味して足指部分の曲げを容易に行うことが出来るように作られており、例えば、ゴム製のアウトソール（本底）、このアウトソール上に設けられたフィラー（中物）、最上面のインソール（後述）等からなる多層構造とされ、接地の際の衝撃を効果的に吸収するようになっている。
【００１８】
一方、アッパー１は、脱ぎ履きするために開口された足入れ部１１と、足の指の部分を覆うトゥ（TOE）１０と、トゥ１０と一体に形成されたタン（tongue）１２と、足の甲の部分を覆うと共に上部を左右に切開するようにして形成された左右の甲片部１１１Ａ，１１１Ｂと、足の踵を覆うヒール（HEEL）１３と、左右の甲片部１１１Ａ，１１１Ｂに掛け渡される靴紐１４とを備えて構成されている。
【００１９】
左の甲片部１１１Ａには、トゥ１０側から足入れ部１１側に向けて靴紐１４を通すための複数のシューホール（又は鳩目）１６Ａ，１６Ａ，…が形成されている。同様に、右の甲片部１１１Ｂにも、トゥ１０側から足入れ部１１側に向けて靴紐１４を通すための複数のシューホール（又は鳩目）１６Ｂ，１６Ｂ，…が設けられている。そして、靴紐１４は、左右のシューホール１６Ａ，１６Ｂへ交互に通されており、足入れ部１１の側で靴紐１４の両端が結ばれている。
【００２０】
アッパー１は、例えば、キャンバス、コーデュロイ、デニムやメッシュ素材等の柔軟性及び可撓性を備えた素材や、本革、合成皮革等の比較的しっかりした素材を適宜組み合わせて形成することができる。例えば、骨組み形状であるスケルトン形状に切り抜きした合成皮革に柔軟性及び可撓性を備えたメッシュ素材を縫い付けて形成されている。なお、アッパー１には、通気・放熱のための所要数のエアホール（いずれも図示せず）等が設けられていてもよい。
【００２１】
［インソールの構成］
図３は運動靴の内側に配置されるインソールの平面図、図４は図３のインソールの斜視図である。なお、インソールの形状は左足用と右足用とで左右対象であり、それ以外に大きな違いはないので、図３及び図４においては左足用を図示し、右足用の図示を省略している。
【００２２】
インソール２００は、例えば、緩衝性及び柔軟性に優れたハニカムメッシュ構造のインソール層２００−１の表面に、通気性及び滑り止め効果に優れた繊維からなる外層２００−２を貼付したものである（図４参照）。インソール層２００−１の材質は、例えばＥＶＡ（ＥＶＡ：Ethylene-Vinyl Acetate）である。そして、図３，図４に示すとおり、インソール２００の表面のつま先側には、使用者のつま先の位置が適正範囲にあること示す所定幅のマーカー２００Ａ，２００Ｂが設けられている。このうちマーカー２００Ａは、つま先の適正範囲に相当する帯状の彩色エリアからなり、マーカー２００Ｂは、つま先の適正範囲より先端側の帯状の彩色エリアからなる。
【００２３】
これらのマーカー２００Ａ，２００Ｂは、適正範囲とそれ以外の範囲とで所定幅を有して色分けされおり、例えば、内側のマーカー２００Ａは適正範囲であることを示す「青色」に彩色されており、先端側のマーカー２００Ｂは不適正範囲であることを示す「赤色」に彩色されている。なお、インソール２００の表面のうちマーカー２００Ａ，２００Ｂ以外のエリア２００Ｃの色彩は、マーカー２００Ａ，２００Ｂの何れとも異なる色（外層２００−２の色「灰色」と同じ）である。
【００２４】
なお、インソール２００の表面へマーカー２００Ａ，２００Ｂとしての彩色エリアを設けるためには、外層２００−２を構成する繊維の一部へ予め所定の色（赤色又は青色）に彩色された織糸を用いてもよいし、外層２００−２の一部へ表面側からアクリル塗料などで彩色を施してもよい。
【００２５】
また、図４に示すとおり、インソール２００の少なくとも踵部分の側縁部２００Ｄは、使用者の足（及び運動靴１００の内壁）に沿うように折り曲げられて形成されており、使用者の足の位置の位置合わせを行うことができるようにされている。図３，図４に示す例では、踵部分の側縁部２００Ｄだけでなく、アーチ部分の側縁部２００Ｅや、左サイドの側縁部２００Ｆも使用者の足（及び運動靴１００の内壁）に沿うように折り曲げられて形成されている。よって、後述するサイズ確認の際に、使用者はインソール２００に対する足の踵等の位置合わせを容易に行うことができる。
【００２６】
使用者が運動靴１００を履く際、インソール２００は、図１，図２に示した足入れ部１１から運動靴１００の内部へ挿入され、靴底２のゴム製のアウトソール（本底）及びフィラー（中物）の上へ密着するようにして配置される。この状態において、インソール２００の側縁部２００Ｄ，２００Ｆ，２００Ｅの形状は、運動靴１００の内壁にフィットする。サイズ確認の際（下述）には、このインソール２００が運動靴１００から外部へ取り外される。
【００２７】
［足長サイズの確認方法］
本実施形態のインソール２００を用いた足長サイズの確認方法は、例えば、次のとおりである。先ず、使用者は、左右のインソール２００を運動靴１００から取り出して肩幅程度の間隔で床へ置き、左右のインソール２００の側縁部２００Ｄに左右の踵を合わせて両足を乗せ（図５，図６，又は図７）、立位姿勢をとる。
【００２８】
そして、使用者は、首を下げて足元を目視し、左右の足のつま先の位置がマーカー２００Ａで示されるエリアに属しているか否かを確認する。このとき、図５に示すとおり、つま先の位置（矢印）がマーカー２００Ａで示されるエリアに属している場合、使用者は自分の足長が運動靴１００の足長サイズに合っていると判断することができる。一方、図６に示すとおり、つま先の位置（矢印）がマーカー２００Ｂで示されるエリアに属している場合、使用者は自分の足長が運動靴１００の足長サイズを超えていると判断することができる。また、図７に示すとおり、つま先の位置（矢印）がエリア２００Ｃに属している場合は、使用者は自分の足長が運動靴１００の足長サイズに満たないと判断することができる。
【００２９】
［本実施形態の効果］
以上説明したとおり、本実施形態に係るインソール２００によれば、使用者のつま先の位置が適正範囲にあること示す所定幅のマーカー２００Ａ，２００Ｂが設けられているので、運動靴１００から取り出したインソール２００の上に使用者が足を乗せて立ち、そのつま先の位置がマーカー２００Ａの範囲内にある場合は「運動靴の足長サイズが使用者の足長に合っている」と判断することができ、つま先の位置がマーカー２００Ａの範囲外にある場合は「運動靴の足長サイズが使用者の足長に合っていない」と判断することができる。
【００３０】
したがって、本実施形態に係るインソール２００及びこれを備えた運動靴１００によれば、運動靴１００の購入時には、使用者の足長に合ったサイズの運動靴１００を選択するための補助となり得、運動靴１００の購入後には、使用者の足長が運動靴１００のサイズに合わなくなったかどうかを確認するための補助となり得る。
【００３１】
［変形例］
なお、上記説明においては、運動靴を対象にしたが、特定用途の靴、例えば、軽登山靴、ウォーキングシューズ等に本考案を適用することももちろん可能である。また、児童や生徒或いは学生だけでなく大人用の靴に適用することも可能である。
【符号の説明】
【００３２】
１      アッパー
２      靴底
１０      トゥ
１１      足入れ部
１３      ヒール
１４      靴紐
１６Ａ    左のシューホール
１６Ｂ    右のシューホール
２００    インソール
２００Ａ  マーカー
２００Ｂ  マーカー
２００Ｃ  エリア
２００Ｄ  踵部分の側縁部
２００Ｅ  アーチ部分の側縁部
２００Ｆ  左サイドの側縁部
【図１】
0003227048.tif 000003
【図２】
0003227048.tif 000004
【図３】
0003227048.tif 000005
【図４】
0003227048.tif 000006
【図５】
0003227048.tif 000007
【図６】
0003227048.tif 000008
【図７】
0003227048.tif 000009